(57)【要約】【課題】映像出力装置が自動更新をする場合に、操作性を向上させる。【解決手段】  液晶テレビ１は、受信部３、信号処理部４、制御部５、操作部６、表示部１０を備える。制御部５は、ＣＰＵ、ＲＡＭ、ＲＯＭを備え、ＲＯＭに記録されたプログラムにより、各種の処理を実行する。例えば、制御部５は、お好みチャンネル処理５４、自動更新前処理５５を実行する。表示部１０は、液晶表示部であり、信号処理部４の出力をＤ/Ａ変換して、画像を表示する。操作部６は、リモコン等を備え、制御部５に操作入力を送る。制御部５がお好みチャンネル処理５４を実行中の場合には、更新処理を行なわず、更新情報が存在する旨をユーザに通知する。処理５４終了後に、更新処理を行う。【選択図】  図２
2009152811.tif 000002
【特許請求の範囲】
【請求項１】
ＯＳＤ（On Screen Display）を出力して、ＯＳＤに対応する操作入力を受け付ける操作受付手段と、
更新データを受信して、自動的にソフトウェアまたはデータの更新を行う更新手段と、
映像信号を処理する信号処理部と、を備える映像出力装置において、
前記更新手段は、前記操作受付手段により操作入力を受け付けているときは、前記更新を保留すると共に、受信可能な更新データが存在する旨を通知し、前記操作入力を受け付けていないときは、更新データが存在する旨を通知せずに前記更新を行う映像出力装置。
【請求項２】
請求項１の映像出力装置と、前記映像出力装置が出力した映像を表示する映像表示部を備え、
前記更新手段は、テレビの放送信号に含まれる更新データを受信し、
前記操作受付手段は、前記ＯＳＤとして、当該操作受付手段によりユーザが登録したお好みチャンネルのメニューを表示して、選択したチャンネルの変更、削除、または選択されたチャンネルへの切換を受け付け、
前記更新手段は、チャンネルテーブルの更新データを受信すると、前記チャンネルメニューを表示している間は更新を保留すると共に、前記チャンネルテーブルの更新データが存在する旨を通知し、前記チャンネルメニューを表示していない間は、更新を行うテレビ。
【発明の詳細な説明】
【技術分野】
【０００１】
本発明は、映像出力装置、テレビのソフトウェア、データの更新に関する。
【背景技術】
【０００２】
従来、ソフトウェアを自動更新するテレビ（表示装置）が実用化されている。このようなテレビでは、放送信号に含まれる更新データを定期的に受信し、これに基づいてソフトウェアの更新を行う。このテレビはこれを自動的に更新するので、ユーザは、常に最新の状態で使用できる。
【０００３】
また、特許文献１〜３には、ソフトウェアを更新する撮像装置、プロセス管理装置が開示されている。特許文献１、２の構成では撮影時に、特許文献３の構成では入力操作を受けているときは、ソフトウェアの更新を停止する旨の記載がある。
【特許文献１】特開２００４−１４０６５６公報
【特許文献２】特開２００６−７４５０５公報
【特許文献３】特開２０００−６６７１５公報
【発明の開示】
【発明が解決しようとする課題】
【０００４】
しかしながら、テレビが設定メニューを表示し、ユーザが項目を選択している中に、テレビが自動更新をすると、以下のような問題があった。
【０００５】
図５を用いて説明する。図５左のように、ユーザの所定の操作に応じて、テレビは、ユーザがお好み登録したチャンネルの一覧をＯＳＤ（On Screen Display）で表示する。このとき、ユーザがチャンネルを選択しやすいように、放送局と対照させて表示することができる。ユーザは、この中からチャンネルを選択して、そのチャンネルの番組を視聴する。また、登録したお好みチャンネルの中から不要なチャンネルを選択して削除する。ここで、太枠のハイライト表示７１、現在選択されているチャンネルを示す。
【０００６】
このようにユーザがチャンネルを選択して、チャンネルを削除しようとする直前に、テレビがソフトウェアを自動更新したとする。これにより、図５右のように、チャンネルが項目の上から第３番目に追加されたとする。ハイライト表示７２の位置は、上から第３番目で変わらないが、項目が上から第３番目に追加されたゆえに、ハイライト表示されている項目が変わってしまう。このとき、ユーザが誤って消去を確定すると、ユーザが意図しない項目が削除されてしまう虞があった。ここで、もし、この不具合を回避しようとして、更新前後のメニュー項目の一致を調べてハイライトを移動させるなどすると、上から何番目という風にハイライトの位置を管理しているのに比べて処理が煩雑になる。同時に、ユーザに意図しないハイライトの移動が生じてしまう虞があった。一方、ユーザが更新を利用できることを知らされないとすれば、更新されていないソフトウェアで操作を行うことになり、不利益が生じる虞があった。
【０００７】
特許文献１〜３では、撮像中やユーザの操作中に更新を停止するものの、更新されないプログラムをユーザが使用することになり、不利益が生じる虞があった。
【０００８】
本発明は、自動更新をする場合に操作性を向上させることを目的とする。
【課題を解決するための手段】
【０００９】
前記課題を解決するために、以下の構成を備える。
【００１０】
（１）  ＯＳＤ（On Screen Display）を出力して、ＯＳＤに対応する操作入力を受け付ける操作受付手段と、
更新データを受信して、自動的にソフトウェアまたはデータの更新を行う更新手段と、
映像信号を処理する信号処理部と、を備える映像出力装置において、
前記更新手段は、前記操作受付手段により操作入力を受け付けているときは、前記更新を保留すると共に、受信可能な更新データが存在する旨を通知し、前記操作入力を受け付けていないときは、更新データが存在する旨を通知せずに前記更新を行う映像出力装置。
【００１１】
この構成によれば、ＯＳＤ（On Screen Display）を出力して、ＯＳＤに対応する操作入力を受け付ける間、例えば、ユーザがメニューを操作している間は、自動更新を保留する。したがって、ユーザが意図しない画面の変更がされないので、ユーザが操作を誤ることがない。また、更新している旨を通知するので、このような自動更新の保留によって、ユーザが不利益を受けることがない。
【００１２】
一方、ＯＳＤ（On Screen Display）を出力せず、操作入力を受け付ける間、例えば、ユーザがメニューを操作している間には、自動更新を行うが、ユーザに一々通知しないので、ユーザはわずらわしい操作を強要されることがなく、ユーザが意図しない画面の変更もない。以上のとおり、この構成によれば、操作性を向上させることができる。
【００１３】
（２）  請求項１の映像出力装置と、前記映像出力装置が出力した映像を表示する映像表示部を備え、
前記更新手段は、テレビの放送信号に含まれる更新データを受信し、
前記操作受付手段は、前記ＯＳＤとして、当該操作受付手段によりユーザが登録したお好みチャンネルのメニューを表示して、選択したチャンネルの変更、削除、または選択されたチャンネルへの切換を受け付け、
前記更新手段は、チャンネルテーブルの更新データを受信すると、前記チャンネルメニューを表示している間は更新を保留すると共に、前記チャンネルテーブルの更新データが存在する旨を通知し、前記チャンネルメニューを表示していない間は、更新を行う。
【発明の効果】
【００１４】
本発明によれば、映像出力装置が自動更新をする場合に、装置の操作性を向上させることができる。
【発明を実施するための最良の形態】
【００１５】
図１、図２を用いて、本発明の実施形態である液晶テレビ（テレビジョン）について説明する。図１は、本発明の実施形態である液晶テレビの透視図である。
液晶テレビ１は、液晶パネル１００、複数の液晶ドライバ１１ａ，１１ｂ、液晶パネルの表示面の背面側から光を発光するU字管のバックライト１３と、スピーカ２１、２２と、メイン基板１５、リモコン受信部６１を備える。
【００１６】
液晶パネル１００は、２枚の透明板と、その中に入れられた液晶と、２枚の透明板それぞれに張られた偏向板と、各画素の位置で液晶に電圧を印加するための透明電極を有する。それぞれ複数の液晶ドライバ１１ａ、１１ｂは、それぞれＤ／Ａ変換器を含んでおり、出力すべき各画素の色調に応じて、それぞれの画素に電圧を印加する。印加した電圧に応じて液晶分子が移動し、この画素の位置で、液晶パネル１００を透過する光の透過率が変わる。液晶パネル１００は、内部に信号線、走査線が形成され、これらに対応してマトリクス状に画素が形成されている。信号線から、出力するＲＧＢの値に応じた電圧が印加され、保持される。各画素には、電子スイッチが形成されている。この電子スイッチは、走査線に電圧が出力されたことを条件にオンになり、信号線の電圧が各画素に印加される。これにより各画素を選択して、所定の電圧を印加することができる。これにより、バックライト１３で照らされた液晶パネル１００の光の透過率を変えることができる。これにより、液晶パネル１００は、文字、画像を表示する。
【００１７】
バックライト１３は、液晶パネルの背面側に配置され、光を発する。例えば、冷陰極管（CCFL：Cold  Cathode  Fluorescent  Lamp）とすることができる。バックライト１３により照らされた光は、液晶パネル１００の表示面に透過するが、ドライバＩＣにより、各画素の光の透過率が変わり、液晶パネル１００の表示面に画像が表示される。
【００１８】
なお、バックライト１３の背面には、図示しない反射板が設けられており、液晶パネル１００の表示面側に光を反射する。
【００１９】
スピーカ２１、２２は、音声を放音する。リモコン受信部２３は、図示しないリモコンからの赤外信号を受信する。
【００２０】
メイン基板１５は、バックライト１３の反射板の背後に設けられている。メイン基板１５の制御部は、図１に示す構成を各々制御する。
【００２１】
図２を用いて、液晶テレビ１内部の構成について説明する。図２は、本発明の実施形態である液晶テレビの主要部の構成を示すブロック図である。液晶テレビ１は、受信部３、信号処理部４、制御部５、操作部６、表示部１０を備える。メイン基板１５には、バックライト駆動回路１２、受信部３、信号処理部４と、表示部１０のうちの液晶パネル駆動回路１１１、操作部６のリモコン受信部６１が搭載されている。また、受信部３は、液晶テレビ１の背面に設けたコネクタを介して、アンテナ１０１に接続されている。
【００２２】
アンテナ１０１は、電波を受信して放送信号をチューナパックに出力する。受信部３は、チューナ制御部、チューナパック、地上デジタルモジュール、復調回路、誤り訂正回路を備えている。チューナ制御部は、物理チャンネルと仮想チャンネルを対照するデータベース（チャンネルテーブルと称する。）を記憶している。制御部５は、仮想チャンネルをチューナ制御部に指示し、チューナ制御部はこれに対応する物理チャンネルをチューナパックに指示する。チャンネルテーブルは、自動更新処理５６により更新される。チューナパックは、ＩＦフィルタ、ＩＦアンプ等を備えている。ＩＦフィルタ（intermediate frequency）は、放送信号のうち、チューナ制御部から指示された所定の物理チャンネルの信号を通す。ＩＦアンプは、この信号を増幅する。これにより、チューナパックは、チューナ制御部により指定されたチャンネルの放送信号を抽出する。また、復調回路は、入力された放送信号をデジタルデータであるＴＳ（トランスポートストリーム）にＯＦＤＭ（Orthogonal Frequency Division Multiplexing）復調し、誤り訂正回路に出力する。誤り訂正回路は入力されたＴＳ（トランスポートストリーム）の誤り情報を訂正して、地上デジタルモジュールに出力する。
【００２３】
地上デジタルモジュールは、マルチプレクサ、バッファメモリを備えている。ＴＳは、複数の仮想チャンネルの番組が、パケットにより多重化された形式で送信されている。デマルチプレクサは、これらの仮想チャンネルのうちの１チャンネルのパケットを抽出して、抽出したパケットに格納されているデータをバッファメモリに記憶させる。
【００２４】
信号処理部４は、デコーダ４１、ＯＳＤ合成部４２、調整処理部４３を備える。デコーダ４１は、受信部３内のバッファメモリが記憶するデータを適宜読み出す。そして、読み出したデータから映像データと音声データとを分離する。また、デコーダ４１は、映像データと音声データを伸長する。デコーダ４１は、伸張した音声データをアナログの音声信号にＤ/Ａ変換し、アンプ（不図示）を介して、スピーカ２１、２２に出力する。また、デコーダ４１は、ＯＳＤ合成部４２に映像信号を出力する。
【００２５】
調整処理部４２は、デコーダ４１でデコードした映像信号の輝度を調整する。具体的には、調整処理部４２は、色相のＲＧＢの階層の値を補正して、全体として暗く見せたり、明るく見せたりする。例えば、入力された０〜２５５階調の色相を補正し、色調を暗く見せたりすることができる。調整処理部４２は、また、この映像信号のアスペクト比、スケーリングの調整をする。
【００２６】
ＯＳＤ合成部４３は、文字、キャラクタ等を表示するためのメモリを備えており、このメモリを用いてＯＳＤ（On Screen Display）を合成する。例えば、お好みチャンネル処理５４で、チャンネル設定のメニューを表示する。
【００２７】
また、デコーダから映像信号が出力されている場合には、ＯＳＤ合成部４３は、この映像信号とＯＳＤを合成し、出力部６に出力する。また、この映像信号の出力を禁止して、ＯＳＤのみを出力してもよい。
【００２８】
液晶パネル駆動回路１１１は、図１に示した液晶ドライバ１１ａ、１１ｂと、バッファメモリと、パネルクロック生成回路等を備えている。液晶パネル駆動回路１１１は、ＯＳＤ合成部４３から出力された映像信号をこのバッファメモリに一時的に記憶する。パネルクロック生成回路は、液晶パネル１００の動作クロックであるパネルクロックを生成する。液晶パネル駆動回路１１１は、パネルクロックに同期して、バッファメモリに記憶した映像信号を順次取り出して、液晶ドライバ１１ａ、１１ｂに出力する。液晶ドライバ１１ａ、１１ｂのドライバＩＣは、Ｄ/Ａ変換回路を備えており、信号線より色調に応じた電圧を各画素に印加する。バックライト駆動回路１１は、高電圧を発生させてバックライト１３に電圧を印加する。
【００２９】
制御部５は、マイコンで構成し、ＣＰＵ５１、ＲＡＭ５２、制御データ格納用のＲＯＭ５３を備える。制御部５は、操作部６で受け付けた入力に基づいて、受信部３、信号処理部４と、表示部１０の回路１１１、回路１２の各部の動作を制御する。また、制御部９のＲＯＭは、お好みチャンネル処理５４、自動更新決定処理５５、自動更新処理５６を実行するためのサブルーチンを記憶している。
【００３０】
操作部６は、装置本体に対する操作を指示するための入力を受け付ける。操作部６は、電源ボタンや、リモコン装置（不図示）から送信されてきた装置本体に対する制御コードを受信するリモコン受信部６１を有している。これにより、操作部６は、ユーザにより操作された操作キーに応じた入力を受け付け、これらに対応したコードや、リモコン受信部で受信した制御コードを制御部９に伝達する。例えば、チャンネル切換、お好みチャンネル処理５４などを行う。
【００３１】
次に、図３を用いて、お好みチャンネル処理５４、自動更新決定処理５５について説明する。操作部６のリモコンから指示を受けて、画面７３のように、全チャンネル一覧を放送局と対照させて表示する。画面７３を表示した状態で、操作部６から選択を受け付ける。選択されている部分は、ハイライト表示７３１がされており、操作部６のリモコンの上下キーで移動可能とする。ユーザがチャンネルを選択し、リモコンの決定ボタンを押すと、制御部５は、お好みチャンネルを登録する。これらが登録された状態で、ユーザがお好みチャンネルの中から、チャンネルを選択し、決定ボタンを押すと、そのチャンネルの放送を受信して画面に出力する。このとき、このメニューを放送の映像の前面に表示したままでもよいし、メニューを消去して放送の映像を表示してもよい。
【００３２】
お好みチャンネル処理５４の画面７３を表示している間にも、制御部５は自動更新決定処理５５を並行して行っており、更新情報を受信している。ユーザの操作を受け付けるＯＳＤ（画面７３等）を表示していないときは、更新情報を受信すると（または更新する情報があることを検出すると）、ユーザが指示しなくても自動的にチャンネルテーブルを更新する。一方、ユーザの操作を受け付けるＯＳＤ（画面７３等）を表示している間は、更新を一旦保留する。また、更新情報があることをポップアップでユーザに通知する。ここで自動更新を行わないのは、更新による項目の増減により、ユーザが意図せずに、ユーザが選択したハイライト表示７３の項目が変わってしまうのを防止するためである（従来技術の図５参照）。しかし、更新情報があるにもかかわらず、なんら通知しないとすれば、ユーザが自動更新の利益を受けられない。そこで、画面７３の後の画面７４では、「更新情報があります。更新しますか？」のポップアップ７４２を表示する。ここで、ユーザから更新するかどうかのキー操作を受け付けて、ユーザが「更新する」を選択した場合には、メニューの更新を行う。その結果、画面７５のように、チャンネル情報が更新される。このとき、ハイライト表示の位置を初期状態に戻す。これにより、ユーザは、初期状態に戻ったことを知ることができ、改めて選択を行うので、誤って違う項目やチャンネルを選択する虞が少ない。これに加えて、液晶テレビ１は、更新前の項目と後の項目を比較して照合し、ハイライト表示をユーザが選択していた位置に移動させるなどの煩雑な処理を回避できる。
【００３３】
ユーザが「更新しない」を選択すると、お好み設定メニューが終了するまで、制御部５は、自動更新処理５６を保留している。このメニューが終了すると、処理５６を開始する。この場合も、ユーザがメニューを操作していない間に自動更新を行うので、操作中にメニューの更新がされることがない。これに加えて、その後メニューを表示させたときには、最初から最新のメニューを表示できるから、旧データと対照してハイライト表示を移動させる必要もないので、処理が煩雑になることもない。
【００３４】
なお、図３では、画面７３を全チャンネルからユーザのお好みのチャンネルを選択する画面とした。しかし、お好みメニューをユーザがすでに選択している場合であって、不要なチャンネルを削除する場合にも、図３で説明した画面７３の説明をそのまま適用できる。この場合でも、メニューが自動更新されて勝手に選択したハイライトの位置が変わることがないから、誤って別の項目を削除しなくて済む。
【００３５】
また、更新情報の通知を、ユーザが操作しているメニューに関するものに限定してもよい。このようにすると、ユーザが操作しているメニュー以外について更新されることは、操作上問題がないから、ユーザは意味なく更新するか否かの入力をする必要がない。
【００３６】
図４のフロー図を用いて、以上で説明した自動更新決定処理５５について説明する。
（ＳＴ１）液晶テレビ１に関連する更新情報が存在するか判断する。具体的には、放送信号のパケットの中から、更新情報を選択して、それが液晶テレビ１に関連するか判断する。関連する更新情報が存在しないかぎり（ＳＴ１のＮＯ）、この処理は待機している。更新情報を受信するか、その存在していることを検出すると（ＳＴ１のＹＥＳ）、ＳＴ２に移動する。
【００３７】
（ＳＴ２、ＳＴ３、ＳＴ４）ＳＴ２で、ユーザがメニューの操作をしているかどうか判断する。例えば、図３で示したようなお好みチャンネル処理５４のメニュー操作をしているかどうか判断する。メニュー操作中であれば（ＳＴ２のＹＥＳ）、ＳＴ３で自動更新を保留する。ＳＴ４で、自動更新を利用できる旨または更新が保留中である旨を表示する。例えば、図３のようなポップアップを表示する。一方、ＳＴ２の判断が否定であれば（ＳＴ２のＮＯ）、ＳＴ５に移動する。なお、ＳＴ３で、自動更新を保留している旨のフラグをＲＡＭ５２（その他図示しない外部記憶部を設けてもよい）に記憶してもよい。
【００３８】
（ＳＴ５）ＳＴ５は、ユーザから操作を受け付けていない場合、メニューを表示していない場合に分岐する。この場合、制御部５は、自動更新処理５６を実行する。
【００３９】
なお、ＳＴ５のステップは、ＳＴ３で設定した自動更新保留の状態（例えば上記フラグ設定）を解除して、その解除された状態を契機に自動更新処理５６を実行させてもよい。このように処理する場合、ＳＴ１のＮＯで待機している状態も、自動更新保留状態に設定することができる。
【００４０】
以上の図１の説明では、機能ごとに分離したブロックで説明したが、実装上は、これらの機能のうち、いずれかが複数の機能が一体となったシステムＩＣで構成してもよいし、一つのブロックを複数に分離して構成してもよい。例えば、実装上、デコーダ４１を地上デジタルモジュールに含めるとすることができる。また、信号処理部４、制御部５を１つのシステムＩＣとしてもよい。
【００４１】
また、液晶パネル１００は必ずしも装置本体に内蔵する必要がない。また、スピーカ２１、スピーカ２２も必ずしも装置本体に内蔵する必要はない。映像信号、音声信号を出力する構成があるテレビでも、外部に液晶パネル１００、スピーカを接続してもよい。
【００４２】
リモコン受信部６１を備えるとしたが、必ずしも必要なく、液晶テレビ１本体に制御部５に入力する操作子を設けてもよい。操作部６は、制御部５に対して指示をすることができればよく、液晶パネル１００に設けるタッチパネル等、どのような操作手段でもよい。
【００４３】
図１の説明では、縦方向に並ぶ液晶ドライバ１１ｂを信号線、横方向に並ぶ液晶ドライバ１１ａを走査線として説明したが、縦方向、横方向が逆でもよい。以上では、液晶テレビを用いて説明したが、映像コンテンツを出力できるのであれば、どのようなものでもよい。例えば、ブラウン管、プラズマディスプレイ、有機ＥＬ素子、プロジェクタでもよい。以上では、発明の実施形態を、表示器を備えたテレビとして説明したが、必ずしも表示器を備えていなくても良く、映像信号を別のモニタに出力できれば、発明の実施形態として適用できる。また、図３の画面７４の表示は、必ずしもポップアップでなくてもよいし、音声でもよい。ユーザに通知できればよい。メニューで選択していることを示すハイライト表示も、他の方法としては、点滅等により表示してもよく、選択されていることを示すことが出来ればよい。さらに、図３では、お好みチャンネル処理５４の場合について説明したが、チャンネル設定のみならず、画面のガイドを表示しつつ、操作を受け付けるような、なんらかのＧＵＩ（Graphical User Interface）により、ユーザが設定、選択、決定を行う場合には以上の実施形態を適用できる。
【００４４】
また、ＳＴ４において、更新を促す表示を行い、更新を直ちに受け付けても良い。また、ＧＵＩのメニューを閉じるよう促しても良い。この場合には、ＳＴ２のＮＯに分岐するから、制御部５は、直ちに更新を開始する。
【図面の簡単な説明】
【００４５】
【図１】本発明の実施形態である液晶テレビの透視図である。
【図２】本発明の実施形態である液晶テレビの主要部の構成を示すブロック図である。
【図３】本発明の実施形態である液晶テレビのお好みチャンネル処理、更新決定処理を表わす図である。
【図４】本発明の実施形態である液晶テレビの更新決定処理を表わすフロー図である。
【図５】従来の実施形態のテレビが自動更新する場合の問題点を表わす図である。
【符号の説明】
【００４６】
１−液晶テレビ、  １０−表示部、  １００−液晶パネル、
１１ａ、１１ｂ−液晶ドライバ、
１１１−液晶パネル駆動回路、  １３−バックライト、  １５−メイン基板、
１２−バックライト駆動回路、  ２１−スピーカ、  ２２−スピーカ、
３−受信部、  ４−信号処理部、  ４１−デコーダ、
４２−調整処理部、  ４３−ＯＳＤ合成部、
５−制御部、  ５１−ＣＰＵ、  ５２−ＲＡＭ、  ５３−ＲＯＭ、
５４−お好みチャンネル処理、  ５５−自動更新決定処理、  ５６−自動更新処理、
６−操作部、  ６１−リモコン受信部、  １０１−アンテナ
【図１】
2009152811.tif 000003
【図２】
2009152811.tif 000004
【図３】
2009152811.tif 000005
【図４】
2009152811.tif 000006
【図５】
2009152811.tif 000007